(57)【要約】予め決められた調査参加者のメディア・データ及び看板の両方に対する露出に関するデータを収集するためのシステム、方法及び装置が提供される。参加者個人が携行するように配置された携帯型看板及びメディア・データ露出モニターが提供される。本モニターは、看板露出監視データを生成するための看板露出手段、メディア・データ露出モニター、及び前記看板露出手段及び前記メディア・データ露出モニターを収容する容器を含む。
2006512664.tif 000002
【特許請求の範囲】
【請求項１】
調査参加者個人が携行するように構成された携帯型広告及びメディア・データ認知度調査装置であって、
広告認知度監視データを生成するための広告認知手段と、
メディア・データ認知モニターと、
前記広告認知手段及び前記メディア・データ認知モニターを収容する容器と、
を含む前記装置。
【請求項２】
請求項１に記載のモニターであって、更に、前記モニターを参加者個人に固定するための手段を含む前記装置。
【請求項３】
請求項１に記載の装置であって、前記広告認知手段は、広告近接信号を受信するように構成された受信機を含んでいる前記装置。
【請求項４】
請求項１に記載の装置であって、前記広告認知手段は、調査参加者データを広告認知データ受信機に送信するように構成された送信機を含んでいる前記装置。
【請求項５】
請求項１に記載の装置であって、前記メディア・データ認知度調査装置は、音響メディア・データを受信し、それから非音響メディア・データを生成するように動作する音響トランスジューサと、前記音響トランスジューサに接続されて非音響メディア・データを受信し、それからメディア・データ認知データを生成するように動作する検出器とを含んでいる前記装置。
【請求項６】
請求項５に記載の装置であって、前記検出器は、非音響メディア・データ中の補助的コードを検出するように動作する前記装置。
【請求項７】
メディア・データ及び広告に対する調査参加者の認知度を監視するためのシステムであって、請求項１に記載の前記装置を含み、ここで、前記広告認知手段は、調査参加者データを含む信号を送信するように動作する少なくとも１つの携帯型送信機を含んでおり、前記システムは、更に、
前記少なくとも１つの携帯型送信機から調査参加者データを含む信号を受信し、調査参加者データを含む信号を送信するように動作するように構成された受信機／送信機と、及び
前記広告に近接して位置する受信機であって、前記受信機／送信機によって送信される信号を受信するように構成された前記受信機と、
を含んでいる前記システム。
【請求項８】
請求項７に記載のシステムであって、前記受信機／送信機は、前記装置及び前記少なくとも１つの付加的モニターから受信した信号に対応する少なくとも１つの信号を送信するように構成されている前記システム。
【請求項９】
メディア・データ及び広告に対する調査参加者の認知度を測定するためのシステムであって、請求項１に記載のモニターを含み、更に、
前記モニターから送信された調査参加者データを含む信号を受信し、調査参加者データを含む信号を送信するように構成された受信機／送信機と、及び
前記広告に近接して位置する受信機であって、前記受信機／送信機によって送信された信号を受信するように機能する受信機と、
を含む前記システム。
【請求項１０】
請求項９に記載のシステムであって、前記受信機／送信機は、前記装置から送信される信号よりも長距離のレンジを有する、調査参加者データを含む信号を送信するように動作する前記システム。
【請求項１１】
請求項７または９に記載の装置であって、前記受信機／送信機は、乗物の中に位置する前記装置。
【請求項１２】
請求項１１に記載の装置であって、前記モニターは、乗物で移動する調査参加者個人によって運ばれる前記装置。
【請求項１３】
メディア・データ及び広告に対する調査参加者の認知度を監視するためのシステムであって、請求項１に記載の装置を含み、ここで、前記広告認知手段は、連続的に、あるいは内部制御に従って時々調査参加者データを含む信号を送信するように配置された携帯型送信機を含んでおり、前記システムは、更に、広告に近接して位置する受信機を含んでおり、前記受信機は、前記送信機によって送信された信号を受信するように機能する前記システム。
【請求項１４】
メディア・データ及び広告に対する調査参加者の認知度を監視するためのシステムであって、請求項１に記載の装置を含み、ここで、前記広告認知手段は、調査参加者に固有の識別子を含む信号を送信するように構成された携帯型送信機を含んでおり、前記システムは、更に、前記広告に近接して位置する受信機を含んでおり、前記受信機は、前記送信機によって送信された信号を受信するように機能する前記システム。
【請求項１５】
メディア・データ及び広告に対する調査参加者の認知度を監視するためのシステムであって、請求項１に記載の装置を含み、及び、更に、
広告に近接して位置する受信機であって、広告の可視領域に存在する調査参加者を示す前記モニターから送信される信号を受信するように構成されており、前記信号は、調査参加者データを含んでいる前記受信機と、及び
前記調査参加者データを広告認知データ生成システムに送信して、前記調査参加者データに基づいて広告認知データを生成するように動作する通信装置と、
を含む前記システム。
【請求項１６】
請求項１に記載の装置であって、前記広告認知手段は、連続的に、あるいは内部制御に従って時々前記広告の可視領域における調査参加者の存在を示す信号を送信するように構成された送信機を含んでおり、前記信号は、調査参加者データを含んでいる前記装置。
【請求項１７】
メディア・データ及び広告に対する調査参加者の認知度を監視するためのシステムであって、請求項１に記載の装置を含み、及び、更に、前記装置から送信される調査参加者データを含む第１の信号を受信し、また前記受信した第１信号に基づいて第２信号を前記広告に近接して位置する受信機に送信するように構成された送信機／受信機を含む前記装置。
【請求項１８】
請求項４、７−１３、または１５−１７のうちの１つに記載の装置であって、前記調査参加者データは、固有の識別子を含んでいる前記装置。
【請求項１９】
請求項４、７−１３、または１５−１７のうちの１つに記載のモニターであって、前記調査参加者データは、調査参加者についての人口統計的情報を含んでいる前記装置。
【請求項２０】
請求項７−１３、１５または１７のうちの１つに記載の装置であって、前記受信機は、前記受信機によって受信された調査参加者データに、時間及び日付に関するデータを追加し、前記信号は、前記受信機によって受信されたものである前記装置。
【請求項２１】
請求項７−１３、または１７のうちの１つに記載の装置であって、前記システムは、更に、前記調査参加者データを広告認知データ生成システムに送信して、前記調査参加者データに基づいて広告認知データを生成するための受信機に接続された通信装置を含んでいる前記装置。
【請求項２２】
メディア・データ並びに広告に対する調査参加者の露出を測定するための方法であって、
１つの容器の内部に、広告認知監視手段と、メディア・データ認知モニターとを提供するステップと、
前記メディア・データ認知モニターによってメディア・データ認知データを生成するステップと、及び
前記広告認知監視手段によって広告認知データを生成するステップと、
を含む前記方法。
【請求項２３】
請求項２２に記載の方法であって、更に、前記容器を調査参加者個人に固定するステップを含む前記方法。
【請求項２４】
請求項２２に記載の方法であって、広告認知データを生成する前記ステップは、広告近接信号を受信するステップを含んでいる前記方法。
【請求項２５】
請求項２２に記載の方法であって、広告認知データを生成する前記ステップは、調査参加者データを広告認知データ受信機に送信するステップを含んでいる前記方法。
【請求項２６】
請求項２２に記載の方法であって、更に、
前記メディア・データ認知モニター中に音響メディア・データを受信して、それから非音響メディア・データを生成するステップと、
前記非音響メディア・データからメディア・データ露出データを生成するステップと、
を含む前記方法。
【請求項２７】
請求項２６に記載の方法であって、更に、非音響メディア・データの中に補助的コードを検出するステップを含む前記方法。
【請求項２８】
請求項２３に記載の方法であって、更に、
調査参加者個人が携行する広告認知監視手段から調査参加者データを含む信号を送信するステップと、
前記広告認知監視手段から調査参加者データを含む信号を受信機／送信機によって受信し、また調査参加者データを含む信号を前記受信機／送信機によって送信するステップと、
前記受信機／送信機によって送信された信号を、広告に近接して位置する受信機で受信するステップと、
を含む前記方法。
【請求項２９】
請求項２８に記載の方法であって、別の調査参加者個人に固定された容器内の別の広告認知監視手段から別の調査参加者データを含む別の信号を送信するステップと、前記別の信号を前記受信機／送信機によって受信するステップと、前記受信機／送信機によって前記別の調査参加者データを含む信号を送信するステップと、前記広告に近接して位置する前記受信機によって前記別の調査参加者データを含む前記信号を受信するステップとを含む前記方法。
【請求項３０】
請求項２３に記載の方法であって、更に、
受信機／送信機によって調査参加者データを含む信号を広告認知監視手段から受信し、また調査参加者データを含む信号を送信するステップと、
前記受信機／送信機によって送信された前記信号を前記広告に近接して位置する受信機によって受信するステップと、
を含む前記方法。
【請求項３１】
請求項２８または２９に記載の方法であって、前記受信機／送信機は、乗物の中に位置している前記方法。
【請求項３２】
請求項３１に記載の方法であって、前記広告認知監視手段及び前記メディア・データ認知モニターは、乗物で移動する調査参加者個人が携行している前記方法。
【請求項３３】
請求項２３に記載の方法であって、更に、
連続的に、あるいは内部制御に従って時々、調査参加者データを含む信号を広告認知監視手段から送信するステップと、及び
前記広告認知監視手段によって送信された信号を広告に近接して位置する受信機によって受信するステップと、
を含む前記方法。
【請求項３４】
請求項２３に記載の方法であって、更に、
前記広告認知監視手段から調査参加者に固有の識別子を含む信号を送信するステップと、
前記広告認知監視手段によって送信された信号を前記広告に近接して位置する受信機によって受信するステップと、
を含む前記方法。
【請求項３５】
請求項２３に記載の方法であって、更に、
前記広告の可視領域における調査参加者の存在を示す信号を前記広告に近接して位置する受信機によって受信するステップであって、前記信号は、調査参加者データを含んでいる前記受信ステップと、及び
前記調査参加者データを広告認知データ生成システムに送信して、前記調査参加者データに基づいて広告認知データを生成する工程と、
を含む前記方法。
【請求項３６】
請求項２３に記載の方法であって、更に、
前記広告認知監視手段から、連続的に、あるいは内部制御に従って時々前記広告の可視領域における調査参加者の存在を示す信号を送信するステップであって、前記信号は、調査参加者データを含んでいる前記送信ステップと、
を含む前記方法。
【請求項３７】
請求項２３に記載の方法であって、更に、
前記広告認知監視手段から調査参加者データを含む第１信号を受信するステップと、及び
前記受信した第１信号に基づいて、第２信号を前記広告に近接して位置する受信機に送信するステップと、
を含む前記方法。
【請求項３８】
請求項２５、２８−３３または３５−３７のうちの１つに記載の方法であって、前記調査参加者データは、固有の識別子を含んでいる前記方法。
【請求項３９】
請求項２５、２８−３３または３５−３７のうちの１つに記載の方法であって、前記調査参加者データは、調査参加者に関する人口統計的情報を含んでいる前記方法。
【請求項４０】
請求項２８−３３、３５または３７のうちの１つに記載の方法であって、更に、前記受信機によって受信された調査参加者データに、時間及び日付に関するデータを補足するステップを含み、前記信号は、前記受信機によって受信されたものである前記方法。
【請求項４１】
請求項２８−３３、または３７のうちの１つに記載の方法であって、更に、前記調査参加者データを前記受信機に接続された通信装置によって広告認知データ生成システムに送信して、前記調査参加者データに基づいて広告認知データを生成するステップを含む前記方法。
【発明の詳細な説明】
【技術分野】
【０００１】
（発明の分野）
本発明は、予め選ばれた調査参加者のメディア・データ及び広告、即ち看板（ｂｉｌｌｂｏａｒｄ）の両者に対する露出、即ち認知度を測定するためのシステム、方法及び装置に関する。
【背景技術】
【０００２】
（発明の背景）
メディア企業は、ラジオ、テレビあるいはその他の電子式広告オプションを看板広告サービスと組み合わせることの有利性に気づいた。そのような広告の効果を測定するために、メディア企業及び広告会社は、個人の、看板に対する露出の報告とともに、ラジオ、テレビ及びその他の電子メディアについての視聴推定を取得する。
【０００３】
ラジオ、テレビ及びその他の電子式メディア・データなどのメディア・データに対する露出をモニターするために特に有効な方法がいずれも本出願の出願人に譲渡された米国特許第５，４５０，４９０号、及び第５，７６４，７６３号に提示されている。これらの特許は、視聴者メンバーが持ち運ぶ小型のモニターを使用してメディア・データ露出情報を収集する方法を開示している。このモニターは、周囲の音を変換するマイクロフォンと、マイクロフォンによって拾ったオーディオ・メディア・データの再生音中の耳に聞こえないコードを取り出すためのデコーダを含む。このコードが処理されて、調査期間にわたるメディア・データに対するその視聴者メンバーの露出が決定され、メディア・データ視聴推定が作成される。
【０００４】
個人の看板に対する露出をモニターするために各種の方法が提案されている。一定期間にわたって全地球測位システム（ＧＰＳ）を使用して乗物の位置を追跡し、追跡される乗物の経路を既知の看板の場所と比較することによって、それらの追跡された乗物が通過した看板を決定する方法も提案された。
【発明の開示】
【発明が解決しようとする課題】
【０００５】
しかし、提案されたこの方法は、多くの欠点を抱えている。そのような欠点の１つは、建築物等によってＧＰＳ信号が急激に減衰することから、この方法が屋外での使用に限られるということである。そのため、ショッピング・モール、地下鉄の駅、鉄道の駅、バス・ステーション、空港、ビルのロビー等々のように屋内に設置された看板に対する露出は、提案されたこの方法では正しく測定できない。別の１つの欠点は、提案されたこのＧＰＳに基づくシステムは、個々の人物ではなくて乗物だけを追跡するという点である。従って、収集されるデータは、追跡される乗物の中にいる人物と直接的な関連をほとんどあるいは全く持たない。このシステムは、収集すべき乗物内部の人物について人口統計的な情報を与えないし、乗物の中にいる人数を確定することもできない。
【０００６】
更に別の欠点は、ＧＰＳシステムが侵入的であると考えられる点、すなわち、人々がどこに行こうと、ＧＰＳシステムは、人々の動きを追跡する点である。個人のプライバシーの確保に関心のある人々は、そのような看板の露出調査に参加応募しようとはしないであろう。
【０００７】
看板露出を測定するために提案された別のシステムは、露出を測定しようとする看板付近に送信機を配置し、調査参加者には携帯型受信装置を持たせるものである。送信機は、その看板に関連する情報を放送し、その信号が携帯型受信装置で受信され記録される。
【０００８】
しかし、提案されたこの方法も多くの欠点を抱えている。１つの欠点は、屋内での設定や通行量の多い屋外での設定でしばしば見かけるように、数多くの看板が互いに接近して設置されたときは、それらの看板に付随する送信機から放送される信号が互いに干渉して、携帯型受信装置は、それらの放送信号の少なくともいくつかを正しく同定できない。従って、少なくとも看板のうちのいくつかのものに対する露出推定は、著しく不正確なものとなる。各種の放送信号同士を区別するための手段を提供するための技術が利用可能ではあるが、そのような技術は、携帯型受信装置を過度に複雑にする。これらは大量生産製品ではないため、それらの単価は、結果として大きく高騰する。
【０００９】
従って、上述の問題点を克服する、看板に対する露出をモニターするための方法を提供することが求められる。
【００１０】
更に、ラジオ、テレビ及びその他の電子メディアを介する広告と、看板広告との組合せ効果を評価するために有用な、広告会社及びメディア企業が利用するための報告書を提供することが求められる。
【００１１】
（発明の概要）
本明細書のために、次のような用語及び定義は、名詞であれば単数及び複数の両形態に、動詞であればすべての時制に適用される。
【００１２】
ここで使用される「データ」という用語は、それが永久的なものであれ一時的なものであれ、あるいは可視、可聴、音響的、電気的、磁気的、電磁的、あるいはその他の形で表されていて構わないが、任意の証印、信号、マーク、シンボル、ドメイン、シンボル・セット、表現及びその他任意の情報をあらわす物理的形式を意味する。１つの物理的な形で特定の情報を表現するためにここで使用される用語「データ」は、異なる物理的形態（単数及び複数）で同じ情報を表現した任意の、及びすべてのものを包含すると解釈されるべきである。
【００１３】
ここで使用される用語「メディア・データ」は、光学的に観察可能なもの、無線によるもの、ケーブル、衛星、ネットワーク、インターネットワーク（インターネットを含む）経由のもの、記憶媒体で配布されるもの、あるいはその他の方法によるなどその形態あるいはその内容に関わらず、広くアクセス可能なデータを意味する。
【００１４】
ここで使用される用語「送信機」は、光学的、音響的、電気的、磁気的、電磁的あるいはその他の方法で表明された信号を発信または配布する任意の装置を意味する。
【００１５】
ここで使用される用語「受信機」は、光学的、音響的、電気的、磁気的、電磁的あるいはその他の方法で表明された信号を取得する任意の装置を意味する。
【００１６】
ここで使用される用語「結合された」、「に結合された」及び「と結合された」は、それぞれ、（ａ）直接的であるか、あるいはその他のデバイス、装置、ファイル、プログラム、メディア、コンポネント、ネットワーク、システム、サブ・システムまたは手段の１つあるいは複数のものを介した１つの接続、（ｂ）直接的であるか、あるいはその他のデバイス、装置、ファイル、プログラム、メディア、コンポネント、ネットワーク、システム、サブ・システムまたは手段の１つあるいは複数のものを介した１つの通信関係、（ｃ）１つの機能的関係であって、それの任意の１つまたは複数のものの動作が全体として、あるいは部分的にそれの任意の１つまたは複数の他のものの動作に依存する１つの機能的関係、のうちの任意の１つまたは複数のものを構成する２つ以上のデバイス、装置、ファイル、プログラム、メディア、コンポネント、ネットワーク、システム、サブ・システムまたは手段の相互間の関係を意味する。
【００１７】
ここで使用される用語「通信する」及び「通信」は、発信源から目的地にデータを運搬することと、目的地に運ばれるようにデータを通信媒体、システムまたはリンクに配信することの両方を含む。
【００１８】
ここで使用される用語「プロセッサ」は、ハードウエアかソフトウエアまたは、その両方に組み込まれ、アナログ及び／またはデジタル・データを処理するためのデバイス、装置、プログラム、回路、システム及びサブ・システムを意味する。
【課題を解決するための手段】
【００１９】
本発明の１つの態様に従えば、参加者個人が携帯するように構成された携帯型の看板及びメディア・データ露出モニターが提供される。本モニターは、看板露出モニター・データを生成するための看板露出手段；メディア・データ露出モニター；及び看板露出手段及びメディア・データ露出モニターを収容する容器を含む。
【００２０】
本発明の別の１つの態様に従えば、調査参加者の看板並びにメディア・データに対する露出を測定するための方法が提供される。本方法は、看板露出監視手段及びメディア・データ露出モニターを１つの容器内に提供する工程；メディア・データ露出モニターによってメディア・データ露出データを生成する工程；及び看板露出監視手段によって看板露出データを生成する工程を含む。
【００２１】
本発明及びそれの特別な特徴及び利点は、以下の詳細な説明を添付図面を参照しながら考察することにより更に明らかになろう。
【実施例】
【００２２】
（特定の有利な実施の形態の詳細な説明）
図１は、本発明の特定の態様に従う携帯型看板及びメディア・データ露出、即ち認知度監視装置の特定の実施の形態を示す。図１の装置は、容器２００；マイクロフォン２１０、プロセッサ２２０、メモリ２３０及び通信装置２４０を含むメディア・データ露出モニター；及び看板露出監視データを生成するための看板露出手段を含む。特定の実施の形態では、看板露出手段は、以下で説明する携帯型送信機のような送信機２５０を含む。特定の実施の形態では、看板露出手段は、識別データのような広告、即ち看板（ｂｉｌｌｂｏａｒｄ）に関するデータをその看板に近接する送信機から受信し、受信したデータをメモリ２３０に記憶するように配置された受信機２６０を含む。それらの実施の形態の特定のものでは、受信機２６０は、携帯型モニターの内部に配置されて、監視すべき領域が調査参加者の視野内部の領域に対応するように配置された方向性利得アンテナ（簡単のため、また分かりやすくするために図示されていない）を有するＲＦ受信機として実施される。
【００２３】
特定の実施の形態で、容器２００は、大きさとしては、ページャ・デバイス、セルラー電話器、ＰＤＡ、あるいは携帯型メディア・プレーヤと同程度であり、さもなければ、腕時計、宝飾品、あるいはその他身に着けて携行される、あるいは、されるであろうその他任意の物品や装置に組み込まれる。特定の実施の形態では、携帯型装置が視聴者メンバー個人に付着するかまたは携行できるようにするために固定装置２７０が備えられており、更に、それらの実施の形態の諸々のものでは、装置２７０は、それをベルト、ストラップ、シャツ、ブラウス、あるいはその他調査参加者の衣類の一部に、あるいは参加者に直接固定するためのクリップ、ピン、ベルト通し、バンド、チェーン、あるいはその他適当な手段を含む。
【００２４】
メディア・データ露出モニターのマイクロフォンは、調査参加者が曝される音響的エネルギーを変換して音響データを生成する。音響データは、マイクロフォン２１０からプロセッサ２２０に送られて、後者は、そこからメディア・データ露出データを抽出する。特定の実施の形態では、プロセッサ２２０は、音響メディア・データ及び付随するビデオ・データを識別または特徴付けるのに用いるために音響メディア・データに含まれる補助的コードを復号化する。この目的に適した復号法は、Ｊｅｎｓｅｎ（ジェンセン）等に対する米国特許第５，４５０，４９０号、及び第５，７６４，７６３号、Ａｉｊａｌａ（アイヤラ）等に対する米国特許第５，５７９，１２４号、Ｆａｒｄｅａｕ（ファデュー）等に対する米国特許第５，５７４，９６２号、第５，５８１，８００号、及び第５，７８７，３３４号、１９９９年５月２５日付でＮｅｕｈａｕｓｅｒ（ノイハウザー）等の名前で出願された米国特許出願第０９／３１８，０４５号、２００１年９月７日付のＫｏｌｅｓｓａｒ（コレッサー）等による米国特許出願第０９／９４８，２８３号、２００２年１１月２２日付のＪｅｎｓｅｎ（ジェンセン）等による米国特許出願第１０／３０２，３０９号の主題である。これらはそれぞれ本出願の譲受人に譲渡されており、またこれらすべては、ここに引用によって取り込まれる。
【００２５】
更にその他の適当な復号化技術は、Ｓｒｉｎｖａｓａｎ（スリンバサン）に対するＰＣＴ公開公報ＷＯ  ００／０４６６２号、Ｐｒｅｕｓｓ（プルース）等に対する米国特許第５，３１９，７３５号、Ｐｅｔｒｏｖｉｃｈ（ペトロビッチ）等に対する米国特許第６，１７５，６２７号、Ｗｏｌｏｓｅｗｉｃｚ（ウォロセビッツ）等に対する米国特許第５，８２８，３２５号、Ｌｅｅ（リー）等に対する米国特許第６，１５４，４８４号、Ｓｍｉｔｈ（スミス）等に対する米国特許第５，９４５，９３２号、Ｌｕ（ルー）等に対するＰＣＴ公開公報第ＷＯ  ９９／５９２７５号、Ｌｕ（ルー）等に対するＰＣＴ公開公報第ＷＯ  ９８／２６５２９号、及びＬｕ（ルー）等に対するＰＣＴ公開公報第ＷＯ  ９６／２７２６４号の主題であって、これらは、すべてここに引用によって取り込まれる。
【００２６】
特定の実施の形態では、プロセッサ２２０は、音響データからシグネチャーを抽出して、参加者が露出されるメディア・データを識別するのに用いる。そのような実施の形態では、プロセッサ２２０は、音響データ中の補助的コードを復号する能力を付加的に与えられるか、そうでなければ、そこから単にシグネチャーを抽出するだけの機能を有する。
【００２７】
音響データからシグネチャーを抽出するのに適した技術は、Ｅｌｌｉｓ（エリス）等に対する米国特許第５，６１２，７２９号、及びＴｈｏｍａｓ（トーマス）等に対する米国特許第４，７３９，３９８号に開示されており、これらは、それぞれ、本発明の譲受人に譲渡されており、また両者は、引用によってここに取り込まれる。
【００２８】
更に、その他の適当な技術は、Ｓｃｈｅｒｂａｔｓｏｙ（スケルバツォイ）に対する米国特許第２，６６２，１６８号、Ｍｏｏｎ（ムーン）等に対する米国特許第３，９１９，４７９号、Ｋｉｅｗｉｔ（キーウィット）等に対する米国特許第４，６９７，２０９号、Ｌｅｒｔ（ラート）等に対する米国特許第４，６７７，４６６号、Ｗｈｅａｔｌｅｙ（ウィットリー）等に対する米国特許第５，５１２，９３３号、Ｗｅｌｓｈ（ウェルシュ）等に対する米国特許第４，９５５，０７０号、Ｓｃｈｕｌｚｅ（シュルツ）に対する米国特許第４，９１８，７３０号、Ｋｅｎｙｏｎ（ケニヨン）等に対する米国特許第４，８４３，５６２号、Ｋｅｎｙｏｎ（ケニヨン）等に対する米国特許第４，４５０，５３１号、Ｌｅｒｔ（ラート）等に対する米国特許第４，２３０，９９０号、Ｌｕ（ルー）等に対する米国特許第５，５９４，９３４号、Ｂｉｃｈｓｅｌ（ビクセル）に対する欧州特許出願第ＥＰ  ０８８７９５８号、及びＹｏｕｎｇ（ヤング）等に対するＰＣＴ公開公報第ＷＯ  ９１／１１０６２号の主題であり、これらは、すべて引用によってここに取り込まれる。
【００２９】
デコーダ／プロセッサ２２０は、復号化された補助的データ及び／またはシグネチャー、あるいは前者から取り出したかそれを表すデータをメモリ２３０に記憶し、そこからそれは装置２４０によって処理設備に送信されて視聴者測定データを生成するのに使用される。特定の実施の形態では、プロセッサ２２０からのデータは、メモリ２３０に対する事前の記憶なしで送信のために装置２４０に与えられる。
【００３０】
特定の実施の形態では、マイクロフォン２１０の代わりにあるいはそれに加えて、データ入力（簡単のため及び分かりやすくするために図示されていない）がメディア・データあるいはメディア露出データを受信して、メモリ２３０に記憶する及び／または装置２４０によって送信する。それらの実施の形態の特定のものでは、そのようなデータ入力は、メディア・データ露出データを参加者が入力するために用いる手動操作のスイッチ、固定ユニットから遠隔制御データ、ビデオ・メディア・データあるいはメディア・データ露出データを入力するための赤外線センサー、メディア・データ受信機または固定ユニットからＲＦまたは中間周波数メディア・データあるいはメディア露出データを受信するためのＲＦ受信機、等を含む。
【００３１】
図１の実施の形態は、同じ参加者に対して看板露出データとメディア露出データの両方を収集する機能を提供する。そのような実施の形態は、従って、年齢集団、性別、民族、収入レベル、教育、地理的及びその他の所望の人口統計上の分類（単数または複数）に従って分類できる、看板広告とメディア広告の結合効果について総合的な報告を可能にするデータを提供する。
【００３２】
図１の実施の形態は、また、調査参加者の同じパネルによって看板及びメディア・データの露出データの両方を収集できるため、両方のデータを収集する費用を大きく削減することができる。パネル・メンバーは、モニターを着用するだけでよく、彼等の参加は本質的に受動的である。更に、携帯型モニターで実行される看板及びメディア・データの露出監視機能は、共通容器や電源などのリソースを共有するため、そのような組み合わされた監視機能を実行するモニターを提供する費用は、それぞれについて別々の装置を提供する費用と比べ大幅に少なくてすむ。携帯型モニター中の受信機を用いて看板露出をモニターするこれらの実施の形態では、データの処理、記憶及び通信用リソースが看板露出及びメディア・データ露出の監視機能によって共有されるため、より大きなコスト有利性が得られる。
【００３３】
図２は、図１の携帯型モニター２００を用いて看板に対する調査参加者の露出を測定するためのシステム１０を模式的に示す。システム１０は、図１の携帯型モニター２００の通信装置２４０に採用された送信機１２と、受信機１４とを含む。
【００３４】
図３を併せて参照すると、送信機１２は、メモリ２３０から供給される調査参加者データ５６を含む信号１６を送信する。ＲＦ（例えば、マイクロ波）信号を送信する実施の形態では、信号送信機１２の出力にアンテナ５８あるいは同等物が接続される。調査参加者データ５６は、例えば、特別な携帯型モニター２００及び／またはその特別な携帯型モニター２００を持ち運ぶ調査参加者を同定する固有の識別子を含むことができる。固有の識別子の代わりに、あるいはこれに加えて、調査参加者データ５６は、携帯型モニター２００を持ち運ぶ調査参加者の個人情報（例えば、名前、住所、その他）及び／または人口統計的情報（例えば、年齢、性別、人種、その他）を含むことができる。特定の実施の形態では、携帯型モニター２００は、調査参加者データを含む信号を連続的に送信する。その他の実施の形態では、携帯型モニター２００は、例えば、内部制御に従って周期的にあるいは時々に調査参加者データを含む信号を送信する。
【００３５】
受信機１４は、それに対する調査参加者の露出を測定しようとする看板の近くに位置する。特定の実施の形態では、受信機１４は、看板の直上あるいは隣に位置する。その他の実施の形態では、受信機１４は、看板から一定の距離をおいて位置する。しかし、重要なことは、看板が見える範囲内にいる調査参加者によって持ち運ばれる携帯型モニター２００によって送信される調査参加者データを含む信号１６が受信できるような位置にあるように、受信機１４が看板に対して位置することである。特定の実施の形態では、それらが共通する可視観察領域を共有する場合には、２つ以上の看板を１つの受信機１４が受け持つことができる（すなわち、調査参加者が観察できる場所にある２つ以上の看板から送信される調査参加者データを含む信号１６を共通受信機１４によって受信することができる）。
【００３６】
看板は、道路、高速道路、鉄道、及び歩道などに沿って屋外に設置することができるし、あるいは、ショッピング・モール、地下鉄の駅、鉄道の駅、バス・ステーション、空港、ビルのロビー等々のように屋内に設置することもできる。
【００３７】
図４により詳細を示された受信機１４は、アンテナ７２から調査参加者データを含む信号１６を受信する信号受信機６６と、信号１６から調査参加者データを抽出するプロセッサ６８とを含む。特定の実施の形態では、受信機１４は、時間及び／または日付のデータを生成する装置７０を含む。これは、プロセッサ６８に対して時間及び日付データ１８を供給し、この時間及び日付データ１８は、調査参加者データに追加される。これにより、システム１０は、看板に露出される調査参加者自身に関するのみならず、そのような露出が発生した時間及び日付に関する情報を追跡することができる。そのような情報を追跡することによって、それは、例えば、露出が１日のうちで時間とともにどのように変化するか、及び／または一週間のうちで日にちとともにどのように変化するかを見積もることができる。特定の実施の形態では、時間及び日付データ１８は、携帯型モニター２００自身によって調査参加者データを含む信号１６と一緒に送信され、装置７０と機能的に等価な手段（簡単のために、また分かりやすくするために図示されていない）によって供給される。
【００３８】
受信機１４は、また、プロセッサ６８に接続された通信装置２０を含み、これは、収集されたデータ２２（これは、信号１６から抽出された調査参加者データに加えて、時間及び日付データ１８が提供される実施の形態では時間及び日付データも一緒に含む）を看板露出データ生成システムに送信して、収集されたデータ２２に基づいて看板露出データを生成する。通信装置２０は、収集されたデータを有線あるいは無線で、数多くの手段のうち任意のもの、例えば、電話回線、データ・ライン、光ファイバ・ライン、無線送信、セルラー電話網、ページャ・ネットワーク等々によって看板露出データ生成システムに送信する。
【００３９】
特定の実施の形態では、通信装置２０は、収集されたデータ２２を実時間で（すなわち、調査参加者データが受信機１４によって受信されるのと同時に）看板露出データ生成システムに送信する。その他の実施の形態では、受信機１４は、半導体メモリや磁気的な読出し可能な記憶媒体などのメモリ２４を含んでおり、受信された収集データ２２をそこに記憶する。これらの各種の実施の形態では、通信装置２０は、記憶されている収集データ２２を実時間で、時々、及び／あるいは周期的に看板露出データ生成システムに送信するように動作する。
【００４０】
看板露出データ生成システムが収集されたデータ２２を通信装置２０から受信すると、それは、看板所有者、広告会社、ケーブル・テレビ会社、オンライン・サービス会社、コンテンツ・プロバイダ、等々に対して興味あるレポートを作成するために、看板に対する露出を見積もるデータを生成する。
【００４１】
看板露出データは、携帯型モニター２００を限られた人数の調査参加者に配布することによって収集されるため、任意の与えられた受信機１４のレンジ内に関連性のないパネル・メンバーが同時に存在する可能性は少ない。従って、１つの看板付近に位置する１つの受信機１４によって受信される２つ以上の携帯型モニター２００の信号１６の送信間で干渉が発生する可能性は、互いに接近して位置する１群の看板を含む看板に接近して位置する送信機群によって信号が送信される場合に比べて非常に少ない。このためシステム設計を簡略化することができ、従って、コストも削減される。更に、数多くの比較的簡単な方法の１つまたは複数を採用することによって、この干渉の可能性を更に低減することができる。特定の実施の形態で採用されるそのような方法の１つは、調査参加者は携行する携帯型モニター２００から周期的にあるいは時々に信号１６を送信させるものである。例えば、携帯型モニター２００が１０秒毎に０．５秒間信号を送信するとすれば、２つの携帯型モニターによって送信される信号が互いに重畳して干渉する可能性は少ない。
【００４２】
図５は、本発明の特定の実施の形態に従ってメディア・データと並んで看板に対する調査参加者の露出を測定するためのシステム１００を示すブロック図である。ここで、１または複数の調査参加者は、乗物１０２で移動すると想定している。乗物１０２は、自動車、トラック、バン、バイク、自転車、スクーター等のような個人用の乗物でも、あるいは、鉄道、バス、地下鉄、航空機、モノレール等のような公共の乗物でも構わない。乗物１０２は、その中にあるいはその上に受信機／送信機１０４を組み込まれている。受信機／送信機１０４は、図６により詳細に示されているが、乗物１０２で移動する１または複数の調査参加者個人が着用する１または複数の携帯型モニター２００、２０１、．．．２０２から調査参加者データ１５２を含む信号１０６、１０８、１１０を受信するための信号受信機１５０を含む。特定の実施の形態では、受信機／送信機１０４に機能的に等価な受信機／送信機が歩行者道（歩道、プラザ、空港コンコース、鉄道の駅、アトリウム、スタジアム、等々）近くに設置されて、１または複数の予め決められた看板から見える調査参加者によって携行される１または複数の個人的送信機から信号を受信する。受信機／送信機１０４は、また、信号１０６、１０８、１１０中に受信された調査参加者データ１５２を含む信号１１８、１２０、１２２を送信するための信号送信機１５４を含む。
【００４３】
特定の実施の形態では、受信機／送信機１０４は、調査参加者データを含む信号１１８、１２０、１２２を連続的に送信する。その他の実施の形態では、受信機／送信機１０４は、調査参加者データを含む信号１１８、１２０、１２２を連続的、周期的、あるいは時々など、プロセッサ１５６によって制御されるように内部制御に従って送信する。特定の実施の形態では、受信機／送信機１０４は、信号１１８、１２０、１２２を、信号１０６、１０８、１１０よりも長距離で受信できるように送信する。
【００４４】
特定の実施の形態では、受信機／送信機１０４は、また、調査参加者データ１５２を後で送信するために記憶するように機能するメモリ１６０を含む。それらの実施の形態では、受信機／送信機１０４は、必要に応じて、受信すると同時に実時間で、時々または周期的に記憶されている調査参加者データ１５２を送信するように動作する。従って、受信機／送信機１０４は、乗物１０２の中の調査参加者の同定を連続的に監視する必要がない。むしろ、乗客である調査参加者に関する調査参加者データ１５２は、受信機／送信機１０４によって連続的に送信され、他方、収集された調査参加者データ１５２は、周期的あるいは時々更新及び記憶する必要がある。例えば、乗物１０２が頻繁に停車するバスや地下鉄車両等を含む場合、乗客に関する調査参加者データ１５２は、自動車等のような個人用の乗物で要求されるよりもより頻繁に更新されよう。
【００４５】
信号受信機１５０及び信号送信機１５４は、ともに、ＲＦ受信／送信用のアンテナ１６４、１６６を備えている。光または音響送信を採用する実施の形態では、アンテナ１６４、１６６の代わりに適当なトランスジューサが用いられる。
【００４６】
特定の実施の形態における受信機／送信機１０４の各種部品は、１つの容器１６８に収容され、その容器１６８は、調査参加者が移動している乗物１０２の中または上に送信機／受信機１０４を搭載するための手段１７０、例えば、バイザーに取り付けるためのクリップ、キー・リングに取り付けるためのループ、マグネット、クランプ、ネジ、あるいは受信機／送信機１０４を乗物１０２の窓やダッシュボードに取り外しできるように取り付けるためのフック・ループ固定システムなどを含むことができる。
【００４７】
システム１００は、また、オプションとして、受信された調査参加者データに時間及び／または日付データ１２８を補足する受信機１２６、収集されたデータ１３２を看板露出データ生成システムに送信するための通信装置１３０及びメモリ１３４を含み、これらの各要素は、図２及び４に関して上で詳細に述べた各々の対応する要素と機能的に等価である。看板露出データ生成システムは、調査参加者データに基づいて看板露出データを生成するように機能する。特定の実施の形態では、受信機／送信機１０４及び／または個人的送信機１１２、１１４及び１１６は、そのような時間及び／または日付データを提供する。
【００４８】
本発明システムの各種実施の形態は、現時点で既知かあるいは提案されている看板露出測定システムに比べて明らかな利点を提供する。
【００４９】
一定期間にわたって乗物の位置を追跡し、次に、追跡した乗物の経路を看板の既知の位置と比較して追跡している乗物がどの看板を通過したかを決定するために全地球測位システム（ＧＰＳ）を採用する提案システムに優る本発明システムの利点には、本発明のシステムが屋外の使用に限定されず、各種の屋内の設定にも採用できる事実、本発明のシステムが乗物だけの追跡でなくて個々の人物も追跡できるという事実及び本システムが侵入的でなくて人々がどこに行こうともその移動を追跡するのではなくて、調査参加者が予め定義された領域に入ったかどうかだけを決定するという事実が含まれる。
【００５０】
本発明のシステムは、また、露出を測定しようとする看板に近接する送信機の位置を決定すること及び調査参加者に対して携帯型受信装置及び携帯型受信装置によって受信及び記憶されるデータ信号を放送する送信機を与えることを含む提案システムに優る数多くの利点を提供する。本発明のシステムのそのような利点の１つは、いくつかの領域において緊密にグループ化される看板に近接して位置する送信機を使用しないことによって、それらの看板に付随する送信機によって放送される信号が互いに干渉して携帯型受信装置がその放送信号の少なくとも一部を正しく同定することができない問題を、複雑で高価な送信機や市場調査で通常使用される数量で作製するには高価な比較的複雑な携帯型装置を必要とせずに回避できることである。
【図面の簡単な説明】
【００５１】
【図１】調査参加者の看板並びにメディア・データに対する露出をモニターするための携帯型看板及びメディア・データ露出モニターの特定の実施の形態を示すブロック図。
【図２】調査参加者の看板に対する露出を図１の携帯型モニターを用いて測定するための、本発明の特定の実施の形態に従うシステムを示すブロック図。
【図３】調査参加者の看板に対する露出を測定するためのシステムと一緒に使用するための、図１の携帯型モニターに採用された送信機の模式図。
【図４】調査参加者の看板に対する露出を測定するための図１の携帯型モニターを含むシステムと一緒に使用するための、本発明の特定の実施の形態に従う受信機を示す模式図。
【図５】本発明の特定の実施の形態に従って調査参加者の看板に対する露出を測定するためのシステムを示すブロック図であって、ここで、図１に従うモニターを携行する１または複数の調査参加者は、乗物で移動する。
【図６】調査参加者の看板に対する露出を測定するためのシステムと一緒に使用される、本発明の特定の実施の形態に従う受信機／送信機を示す模式図。
【図１】
2006512664.tif 000003
【図２】
2006512664.tif 000004
【図３】
2006512664.tif 000005
【図４】
2006512664.tif 000006
【図５】
2006512664.tif 000007
【図６】
2006512664.tif 000008
【国際調査報告】
2006512664.tif 000009